(57)【要約】【課題】本発明は、非接触方式で電力を伝送するコイル及び電力供給装置に関する。【解決手段】非接触方式の電力伝送コイルは、一定面積を有するベースの少なくとも一面に形成されて複数のターンを有し、伝達された電力を非接触方式で外部に伝送する少なくとも一つの導電体パターンを含むことができる。上記導電体パターンの内径中心から上記導電体パターンの外郭パターン部に向かう一方向に沿って、上記導電体パターンの互いに隣接したパターン部のうち少なくとも一部のパターン間の間隔は互いに異なることができる。【選択図】図１
2015095656.tif 000002
【特許請求の範囲】
【請求項１】
複数のターンを有し、電力を非接触方式で外部に伝送する少なくとも一つの導電体パターンを含み、
前記導電体パターンの中心から前記導電体パターンの外郭パターン部に向かう一方向に沿って、前記導電体パターンの互いに隣接したパターン部のうち少なくとも一部のパターン部間の間隔が互いに異なる、非接触方式の電力伝送コイル。
【請求項２】
前記一方向に沿って、前記導電体パターンの前記隣接したパターン部間の前記間隔が次第に短くなる、請求項１に記載の非接触方式の電力伝送コイル。
【請求項３】
前記一方向に沿って、前記導電体パターンの前記隣接したパターン部のうち前記少なくとも一部のパターン部間の前記間隔は異なる第１の比率で与えられ、
前記導電体パターンの前記中心から前記導電体パターンの他の外郭パターン部に向かう他方向に沿って、前記導電体パターンの前記互いに隣接したパターン部のうち少なくとも一部のパターン部間の間隔は異なる第２の比率で与えられ、
前記第１の比率は前記第２の比率とは異なる、請求項１または２に記載の非接触方式の電力伝送コイル。
【請求項４】
前記一方向に沿って、前記導電体パターンの前記隣接したパターン部のうち前記少なくとも一部のパターン部間の前記間隔は異なる第１の比率で与えられ、
前記導電体パターンの前記中心から前記導電体パターンの他の外郭パターン部に向かう他方向に沿って、前記導電体パターンの前記互いに隣接したパターン部のうち少なくとも一部のパターン部間の間隔は異なる第２の比率で与えられ、
前記第１の比率は前記第２の比率と同一である、請求項１または２に記載の非接触方式の電力伝送コイル。
【請求項５】
前記一方向に沿って、前記導電体パターンの前記互いに隣接したパターン部のうち少なくとも一部のパターン部間の間隔が、前記導電体パターンの少なくとも一つの区間において異なり、
前記一方向に沿って、前記導電体パターンの前記互いに隣接したパターン部のうち少なくとも他のパターン部間の間隔が、他の区間において同一である、請求項１に記載の非接触方式の電力伝送コイル。
【請求項６】
前記一方向に沿って、前記導電体パターンの前記互いに隣接したパターン部のうち少なくとも一部のパターン部の幅が互いに異なる、請求項１から５のいずれか１項に記載の非接触方式の電力伝送コイル。
【請求項７】
複数のターンを有し、電力を非接触方式で外部に伝送する少なくとも一つの導電体パターンを含み、
前記導電体パターンの中心から前記導電体パターンの外郭パターン部に向かう一方向に沿って、前記導電体パターンの互いに隣接したパターン部のうち少なくとも一部のパターン部の幅が互いに異なる、非接触方式の電力伝送コイル。
【請求項８】
前記一方向に沿って、前記導電体パターンの前記隣接したパターン部の前記幅が次第に狭くなる、請求項７に記載の非接触方式の電力伝送コイル。
【請求項９】
前記一方向に沿って、前記導電体パターンの前記隣接したパターン部のうち前記少なくとも一部のパターン部の前記幅は異なる第１の比率で与えられ、
前記導電体パターンの前記中心から前記導電体パターンの他の外郭パターン部に向かう他方向に沿って、前記導電体パターンの前記互いに隣接したパターン部のうち少なくとも一部のパターン部の幅は異なる第２の比率で与えられ、
前記第１の比率は前記第２の比率とは異なる、請求項７または８に記載の非接触方式の電力伝送コイル。
【請求項１０】
前記一方向に沿って、前記導電体パターンの前記隣接したパターン部のうち前記少なくとも一部のパターン部の前記幅は異なる第１の比率で与えられ、
前記導電体パターンの前記中心から前記導電体パターンの他の外郭パターン部に向かう他方向に沿って、前記導電体パターンの前記互いに隣接したパターン部のうち少なくとも一部のパターン部の幅は異なる第２の比率で与えられ、
前記第１の比率は前記第２の比率と同一である、請求項７または８に記載の非接触方式の電力伝送コイル。
【請求項１１】
前記一方向に沿って、前記導電体パターンの前記互いに隣接したパターン部のうち少なくとも一部のパターン部の幅が、前記導電体パターンの少なくとも一つの区間において異なり、
前記一方向に沿って、前記導電体パターンの前記互いに隣接したパターン部のうち少なくとも他のパターン部の幅が、前記導電体パターンの他の区間において互いに同一である、請求項７から１０のいずれか１項に記載の非接触方式の電力伝送コイル。
【請求項１２】
ベースと、前記ベースの少なくとも一面に形成されて複数のターンを有する少なくとも一つの導電体パターンとを有するコイルと、
前記コイルに電力を供給して非接触方式で前記電力を外部に伝送させる電力部と、
を含み、
前記導電体パターンの中心から前記導電体パターンの外郭パターン部に向かう一方向に沿って、前記導電体パターンの互いに隣接したパターン部のうち少なくとも一部のパターン部間の間隔が互いに異なる、非接触方式の電力供給装置。
【請求項１３】
前記一方向に沿って、前記導電体パターンの前記隣接したパターン部間の前記間隔が次第に短くなる、請求項１２に記載の非接触方式の電力供給装置。
【請求項１４】
前記一方向に沿って、前記導電体パターンの前記隣接したパターン部のうち前記少なくとも一部のパターン部間の前記間隔は異なる第１の比率で与えられ、
前記導電体パターンの前記中心から前記導電体パターンの他の外郭パターン部に向かう他方向に沿って、前記導電体パターンの前記互いに隣接したパターン部のうち少なくとも一部のパターン部間の間隔は異なる第２の比率で与えられ、
前記第１の比率は前記第２の比率とは異なる、請求項１２または１３に記載の非接触方式の電力供給装置。
【請求項１５】
前記一方向に沿って、前記導電体パターンの前記隣接したパターン部のうち前記少なくとも一部のパターン部間の前記間隔は異なる第１の比率で与えられ、
前記導電体パターンの前記中心から前記導電体パターンの他の外郭パターン部に向かう他方向に沿って、前記導電体パターンの前記互いに隣接したパターン部のうち少なくとも一部のパターン部間の間隔は異なる第２の比率で与えられ、
前記第１の比率は前記第２の比率と同一である、請求項１２または１３に記載の非接触方式の電力供給装置。
【請求項１６】
前記一方向に沿って、前記導電体パターンの前記互いに隣接したパターン部のうち少なくとも一部のパターン部間の間隔が、前記導電体パターンの少なくとも一つの区間において互いに異なり、
前記一方向に沿って、前記導電体パターンの前記互いに隣接したパターン部のうち少なくとも他のパターン部間の間隔が、前記導電体パターンの他の区間において同一である、請求項１２から１５のいずれか１項に記載の非接触方式の電力供給装置。
【請求項１７】
前記一方向に沿って、前記導電体パターンの前記互いに隣接したパターン部のうち少なくとも一部のパターン部の幅が互いに異なる、請求項１２から１６のいずれか１項に記載の非接触方式の電力供給装置。
【請求項１８】
ベースと、
前記ベースの少なくとも一面に形成されて複数のターンを有する少なくとも一つの導電体パターンと、
前記導電体パターンに電力を供給して非接触方式で前記電力を外部に伝送する電力部と、
を含み、
前記導電体パターンの中心から前記導電体パターンの外郭パターン部に向かう一方向に沿って、前記導電体パターンの互いに隣接したパターン部のうち少なくとも一部のパターン部の幅が互いに異なる、非接触方式の電力供給装置。
【請求項１９】
前記一方向に沿って、前記導電体パターンの前記隣接したパターン部の前記幅が次第に狭くなる、請求項１８に記載の非接触方式の電力供給装置。
【請求項２０】
前記一方向に沿って、前記導電体パターンの前記隣接したパターン部のうち前記少なくとも一部のパターン部の前記幅は異なる第１の比率で与えられ、
前記導電体パターンの前記中心から前記導電体パターンの他の外郭パターン部に向かう他方向に沿って、前記導電体パターンの前記互いに隣接したパターン部のうち少なくとも一部のパターン部の幅は異なる第２の比率で与えられ、
前記第１の比率は前記第２の比率とは異なる、請求項１８または１９に記載の非接触方式の電力供給装置。
【請求項２１】
前記一方向に沿って、前記導電体パターンの前記隣接したパターン部のうち前記少なくとも一部のパターン部の前記幅は異なる第１の比率で与えられ、
前記導電体パターンの前記中心から前記導電体パターンの他の外郭パターン部に向かう他方向に沿って、前記導電体パターンの前記互いに隣接したパターン部のうち少なくとも一部のパターン部の幅は異なる第２の比率で与えられ、
前記第１の比率は前記第２の比率と同一である、請求項１８または１９に記載の非接触方式の電力供給装置。
【請求項２２】
前記一方向に沿って、前記導電体パターンの前記互いに隣接したパターン部のうち少なくとも一部のパターン部の幅が、前記導電体パターンの少なくとも一つの区間において異なり、
前記導電体パターンの前記互いに隣接したパターン部のうち少なくとも他のパターン部の幅が、前記導電体パターンの他の区間において互いに同一である、請求項１８から２１のいずれか１項に記載の非接触方式の電力供給装置。
【請求項２３】
複数のターンを有し、電力を非接触方式で供給する少なくとも一つの導電体パターンを含み、
前記導電体パターンの前記複数のターン間の間隔のうち、少なくとも一部の間隔は互いに異なる、非接触方式の電力供給装置。
【請求項２４】
前記導電体パターンの前記複数のターン間の前記間隔は、前記導電体パターンの内側のターンから外側のターンに向かう順で短くなる、請求項２３に記載の非接触方式の電力供給装置。
【請求項２５】
前記導電体パターンの前記複数のターン間の間隔のうち、他の間隔は同一である、請求項２３または２４に記載の非接触方式の電力供給装置。
【請求項２６】
前記導電体パターンの前記複数のターンのうちの少なくとも一部は、互いに異なる幅を有する、請求項２３から２５のいずれか１項に記載の非接触方式の電力供給装置。
【請求項２７】
複数のターンを有し、電力を非接触方式で供給する少なくとも一つの導電体パターンを含み、
前記導電体パターンの前記複数のターンのうちの少なくとも一部は、互いに異なる幅を有する、非接触方式の電力供給装置。
【請求項２８】
前記導電体パターンの前記複数のターンの前記幅は、前記導電体パターンの内側のターンから外側のターンに向かう順で短くなる、請求項２７に記載の非接触方式の電力供給装置。
【請求項２９】
前記導電体パターンの前記複数のターンのうちの他の幅は同一である、請求項２７または２８に記載の非接触方式の電力供給装置。
【発明の詳細な説明】
【技術分野】
【０００１】
本発明は、概して、非接触方式で電力を伝送するコイル及び電力供給装置に関する。
【背景技術】
【０００２】
一般に、電子装置を作動させるためには、エネルギー源として電力を供給することが必要であろう。例えば、電力は外部電源から供給されてよく、また、自立稼動する装置は、その自己発電によって電力を取得することができるであろう。
【０００３】
電子装置に対して外部電力を供給するためには、外部の電力供給設備から電子装置に電力を伝達するための電力供給装置が必要になるであろう。
【０００４】
電子装置に内蔵されたバッテリー（ｂａｔｔｅｒｙ）に電力を供給するために、有線方式の電力供給装置が、コネクタなどで電子装置へと直接連結されてよい。非接触方式の電力供給装置は、例えば磁気誘導効果または磁気共振効果を用いて、非接触方式で、電子装置に内蔵されたバッテリーに電力を供給することができる。
【０００５】
例えば、磁気誘導効果または磁気共振効果を用いて非接触方式で電力を伝送するために、送電コイルと受電コイルとが、互いに隣接するように配置されて、使用されてよい。この場合、例えば、送電コイルと受電コイルとの間の距離による電力伝送効率及び伝送可能電力のレベルの問題点が生じ得る。
【先行技術文献】
【特許文献】
【０００６】
【特許文献１】韓国公開特許第１０−２０１３−００９３６６７号公報
【発明の概要】
【発明が解決しようとする課題】
【０００７】
本発明のいくつかの実施例によると、送電面上または送電面上方に配置された送電コイル及び受電コイルの位置に依存した電力伝送効率の低減を抑制する非接触方式の電力伝送コイル及び非接触方式の電力供給装置が提供される。
【課題を解決するための手段】
【０００８】
上述の本発明の課題を解決するための本発明の一実施例による非接触方式の電力伝送コイルは、一定面積を有するベースの少なくとも一面に形成されて複数のターンを有し、伝達された電力を非接触方式で外部に伝送する少なくとも一つの導電体パターンを含むことができる。上記導電体パターンの内径中心から上記導電体パターンの外郭パターン部に向かう一方向に沿って、上記導電体パターンの互いに隣接したパターン部のうち少なくとも一部のパターン間の間隔は互いに異なることができる。
【０００９】
本発明の他の一実施例による非接触方式の電力伝送コイルにおいて、上記導電体パターンの内径中心から上記導電体パターンの外郭パターン部に向かう一方向に沿って、上記導電体パターンの互いに隣接したパターン部のうち少なくとも一部のパターンの幅は互いに異なることができる。
【００１０】
本発明の他の実施例による非接触方式の電力伝送装置は、一定面積を有するベースと、上記ベースの少なくとも一面に形成されて複数のターンを有する少なくとも一つの導電体パターンと、上記導電体パターンに電力を伝達して非接触方式で電力を外部に伝送させる電力部と、を含む。上記導電体パターンの内径中心から上記導電体パターンの外郭パターン部に向かう一方向に沿って、上記導電体パターンの互いに隣接したパターン部のうち少なくとも一部のパターン間の間隔は互いに異なることができる。
【００１１】
本発明の他の一実施例による非接触方式の電力伝送装置において、上記導電体パターンの内径中心から上記導電体パターンの外郭パターン部に向かう一方向に沿って、上記導電体パターンの互いに隣接したパターン部のうち少なくとも一部のパターンの幅は互いに異なることができる。
【発明の効果】
【００１２】
本発明の一実施例によると、非接触方式の電力供給装置の送電面全体に電力伝送効率が均一に形成される効果がある。
【図面の簡単な説明】
【００１３】
【図１】本発明の一実施例による非接触方式の電力供給装置を概略的に示す図面である。
【図２ａ】本発明の実施例による非接触方式の電力伝送コイルを概略的に示す平面図である。
【図２ｂ】本発明の実施例による非接触方式の電力伝送コイルを概略的に示す平面図である。
【図２ｃ】本発明の実施例による非接触方式の電力伝送コイルを概略的に示す平面図である。
【図２ｄ】本発明の実施例による非接触方式の電力伝送コイルを概略的に示す平面図である。
【図２ｅ】本発明の実施例による非接触方式の電力伝送コイルを概略的に示す平面図である。
【図２ｆ】本発明の実施例による非接触方式の電力伝送コイルを概略的に示す平面図である。
【図２ｇ】本発明の実施例による非接触方式の電力伝送コイルを概略的に示す平面図である。
【図３ａ】本発明の一実施例による、送電コイルと受電コイルとの間の距離による効率グラフである。
【図３ｂ】本発明の一実施例による、送電コイルの平面図である。
【図３ｃ】本発明の一実施例による、図３ｂに示された送電コイル及び受電コイルの位置による効率グラフである。
【図４】本発明の一実施例による非接触方式の電力伝送コイルの磁場の強さを示す図面である。
【図５】本発明の一実施例による非接触方式の電力伝送コイルの電流密度を示すグラフである。
【図６ａ】本発明の一実施例による非接触方式の電力伝送コイルの磁界の強さを示す図面である。
【図６ｂ】本発明の一実施例による非接触方式の電力伝送コイルの磁界の強さを示す図面である。
【図７ａ】本発明の一実施例による非接触方式の電力伝送コイルの電界の強さを示す図面である。
【図７ｂ】本発明の一実施例による非接触方式の電力伝送コイルの電界の強さを示す図面である。
【図８】本発明の一実施例による非接触方式の電力伝送コイルの各位置別の電力伝送効率を示す図面である。
【発明を実施するための形態】
【００１４】
以下では、添付の図面を参照し、本発明の好ましい実施例について説明する。しかし、本発明の実施例は様々な他の形態に変形されることができ、本発明の範囲は以下で説明する実施例に限定されない。また、本発明の実施例は、当該技術分野で平均的な知識を有する者に本発明をより完全に説明するために提供されるものである。したがって、図面における要素の形状及び大きさなどはより明確な説明のために誇張されることがある。
【００１５】
図１は本発明の一実施例による非接触方式の電力供給装置を概略的に示す図面である。
【００１６】
図１を参照すると、本発明の一実施例による非接触方式の電力供給装置１００は、コイル１１０及び電力部１２０を含むことができる。
【００１７】
コイル１１０は非接触方式で外部に電力を伝送することができる。電力部１２０はコイル１１０に電力を伝達することができる。
【００１８】
ここで非接触方式とは、例えば、これに限定されるものではないが、送信側と受信側との導電体間の直接的な連結無しに、電源が送信側から受信側に伝送される方式を意味する。さらに、非接触方式とは、無接点方式または無線伝送方式などを意味することができる。
【００１９】
非接触方式の電力供給装置１００の電力が伝送される送電面には、受電装置Ａが配置されてよい。非接触方式の電力供給装置１００の電力は、受電装置Ａの受電コイルａにコイル１１０からの電力が伝送されるように、非接触方式の電力供給装置１００の送電面から伝送されることができる。
【００２０】
非接触方式の電力供給装置１００の送電面に配置された受電装置Ａが非接触方式の電力供給装置１００から電力の伝送を受ける場合、受電装置Ａと非接触方式の電力供給装置１００のコイル１１０との距離、例えば、これに限定されるものではないが、受電装置Ａの受電コイルａと非接触方式の電力供給装置１００のコイル１１０との距離によって電力伝送効率が変化し得る。
【００２１】
例えば、本発明の一実施例による非接触方式の電力伝送コイルは、図２ａから図２ｇに示されるように構成されることができる。
【００２２】
図２ａから図２ｇは本発明の実施例による非接触方式の電力伝送コイルを概略的に示す平面図である。
【００２３】
まず、図２ａを参照すると、本発明の一実施例による非接触方式の電力伝送コイル１１０は、ベース１１１及び導電体パターン１１２を含むことができる。
【００２４】
図１に示されているように、導電体パターンは、複数個備えられてよい。複数の導電体パターンの動作及び作用は、一つの導電体パターンと、あるいは一つの導電体パターンを用いた場合と同一または同様であるため、説明の便宜上、以下では非接触方式の電力伝送コイルが一つの導電体パターンを含むことに基づいて詳細に説明する。
【００２５】
ベース１１１は一定面積を有することができる。導電体パターン１１２はベース１１１の少なくとも一面に配置することができる。
【００２６】
ベース１１１の一面に配置された導電体パターン１１２は、複数のターンを有することができ、また、複数の折り曲げパターン部１１２ａ１〜１１２ａ６、１１２ｂ１、１１２ｃ１、１１２ｄ１を備えることができ、複数の折り曲げパターン部１１２ａ１〜１１２ａ６、１１２ｂ１、１１２ｃ１、１１２ｄ１が電気的に連結されて、複数のターンを有する一つのパターンを形成することができる。
【００２７】
上述の通り、複数の折り曲げパターン部１１２ａ１〜１１２ａ６、１１２ｂ１、１１２ｃ１、１１２ｄ１が他に電気的に連結されて複数のターンを有することができる。また、少なくとも一つの直線パターン１１２ｌ１、１１２ｌ２、１１２ｌ３が、それぞれ（１１２ａ１、１１２ｂ１）、（１１２ｂ１、１１２ｃ１）、（１１２ｃ１、１１２ｄ１）のように、少なくとも二つの折り曲げパターン部１１２ａ１、１１２ｂ１、１１２ｃ１、および１１２ｄ１の間に形成されて、折り曲げパターン部（１１２ａ１、１１２ｂ１）、（１１２ｂ１、１１２ｃ１）、（１１２ｃ１、１１２ｄ１）の間を電気的に連結することができる。従って、複数のターンを有する一つのパターンを形成することができる。
【００２８】
これにより、導電体パターン１１２は、例えば、円、四角形などの多様な形状からなる複数のターンを有することができる。
【００２９】
一方、導電体パターン１１２の中心Ｃから外郭パターン部に向かう一方向αにおいて、隣接した折り曲げパターン部（１１２ａ１、１１２ａ２）、（１１２ａ２、１１２ａ３）、（１１２ａ３、１１２ａ４）、（１１２ａ４、１１２ａ５）、（１１２ａ５、１１２ａ６）間のそれぞれの距離ｄ１、ｄ２、ｄ３、ｄ４、ｄ５のうち少なくとも一部は互いに異なることができる。
【００３０】
例えば、一方向αにおいて、隣接した折り曲げパターン部（１１２ａ１、１１２ａ２）、（１１２ａ２、１１２ａ３）、（１１２ａ３、１１２ａ４）、（１１２ａ４、１１２ａ５）、（１１２ａ５、１１２ａ６）間のそれぞれの距離ｄ１、ｄ２、ｄ３、ｄ４、ｄ５は、次第に短くなることができる。
【００３１】
直線パターン部１１２ｌ１、１１２ｌ２、１１２ｌ３、１１２ｌ１ａ、１１２ｌ１ｂ、１１２ｌ１ｃ、１１２ｌ１ｄ、１１２ｌ１ｅがさらに形成されてよい。導電体パターン１１２の中心Ｃから外郭パターン部に向かう一方向βにおいて、隣接した直線パターン部（１１２ｌ１、１１２ｌ１ａ）、（１１２ｌ１ａ、１１２ｌ１ｂ）、（１１２ｌ１ｂ、１１２ｌ１ｃ）、（１１２ｌ１ｃ、１１２ｌ１ｄ）、（１１２ｌ１ｄ、１１２ｌ１ｅ）間の距離ｌ１、ｌ２、ｌ３、ｌ４のうち少なくとも一部は互いに異なることができる。例えば、隣接した直線パターン部間の距離ｌ１、ｌ２、ｌ３、およびｌ４は、次第に短くなることができる。
【００３２】
例えば、パターンを容易に形成するために、ベース１１１の両面に導電体パターン１１２を配置することができる。例えば、導電体パターン１１２が互いに重なることを防止するために、電力を伝送している導電体パターン１１２のうちの一または複数の部分を、複数のターンを有する複数の導電体パターン１１２が配置されたベース１１１の他面とは反対面である、ベース１１１の一面に配置することができる。
【００３３】
上述の導電体パターン１１２は、近距離通信（Ｎｅａｒ  Ｆｉｅｌｄ  Ｃｏｍｍｕｎｉｃａｔｉｏｎ、ＮＦＣ）のアンテナにも用いることができる。
【００３４】
また、図２ｂを参照すると、パターンの形状において、導電体パターン１１２は、パターン部間の間隔が異なる領域１４０、及び、バターン部間の間隔が同一である領域１３０を含むことができる。パターン部間の間隔が異なる領域１４０と、パターン部間の間隔が同一である領域１３０とは、交互に備えられてよい。さらに、導電体パターン１１２は、複数の領域１３０および／または１４０を有することができる。例えば、領域１３０と１４０とは、択一的に形成されることができる。
【００３５】
図２ｃ及び図２ｄに示されているように、導電体パターン１１２は、例えば、これらに限定されるものではないが、円形または八角形のように様々な形状を有することができる。
【００３６】
図２ｅに示されているように、導電体パターン１１２は、横の長さと縦の長さが同一であってよい。導電体パターン１１２の中心から外郭に行くほど、導電体パターン１１２のパターン部間の間隔を次第に狭くすることができる。さらに、導電体パターン１１２のパターン部間の間隔は、同一の比率で狭くすることができる。
【００３７】
図２ｆに示されているように、導電体パターン１１２のパターン部は、同一の間隔を有することができる。導電体パターン部１１２の線幅は、導電体パターン１１２の中心から外郭に行くほど次第に狭くすることができる。
【００３８】
図２ｇに示されているように、導電体パターン１１２の中心から外郭に行くほど、導電体パターン１１２のパターン部間の間隔を次第に狭くすることができる。パターンの横縦比に基づいて、導電体パターン１１２のパターン部の線幅を、導電体パターン１１２の中心から外郭に行くほど次第に狭くすることができる。導電体パターン１１２の線幅を、同一のターンにおいて、互いに異なる比率で狭くすることができる。例えば、図２ｇに示されているように、導電体パターン１１２は、横の長さが縦の長さより長い長方形で形成されることができる。導電体パターン１１２の中心に垂直な第１方向に沿った導電体パターン１１２のパターン部の線幅は、導電体パターン１１２の中心に水平な第２方向に沿った導電体パターン１１２のパターン部の線幅より狭くてもよい。もちろん、広くてもよい。
【００３９】
以下では、上述の導電体パターン１１２のパターン部間の間隔による、電気的な作用または特性について説明する。
【００４０】
図３ａは、本発明の一実施例による送電コイルと受電コイルとの間の距離による効率グラフであり、図３ｂは、本発明の一実施例による送電コイルの平面図であり、図３ｃは、本発明の一実施例による、図３ｂに示された送電コイル及び受電コイルの位置による効率グラフである。
【００４１】
一般に、非接触方式で電力を伝送する送電コイルと電力の伝送を受ける受電コイルとの間の電力伝送効率は、図３ａに示されているように、コイル中心間の距離ｄが遠くなるほど低下する。図３ｂのように多くのターン及び同一間隔のパターン配列を有するコイル１１０が備えられる場合、コイル中央の開口面に多くの磁場が集まってコイル１１０同士の中心が一致するようになると、高い効率を達成することができる。しかし、図３ｃのように受電コイルの中心が送電コイルの中心を外れると、効率が急激に低下するという問題点がある。特に、受電コイルの位置が送電コイルの中心からＸ軸及びＹ軸の外郭に移動すると、電力伝送効率が最も低いレベルに成り得る。
【００４２】
これに対し、図４は本発明の一実施例による非接触方式の電力伝送コイルの磁場の強さを示す図面である。
【００４３】
図２ａ及び図４を参照すると、本発明の一実施例による非接触方式の電力伝送コイル１１０のパターン部間の間隔、即ち、線密度は、コイルの外郭では高く、内部に行くほど低くなる。即ち、コイルの中心に向かうほど、非接触方式の電力伝送コイル１１０のパターン部間の間隔が広くなる（非等間隔と称する）。
【００４４】
図４のように磁場（磁界、Ｆ）は、アンペア右ネジの法則によって電流の進行方向に垂直に形成される。電流からの距離が近くなるほど磁場Ｆの強さが大きくなる。これにより、中心部ではコイルのすべての電線に流れる電流方向が同一であるため同一方向の磁界が形成されて、高い効率で充電することができる。この例では、図３ｂに示された等間隔コイルに比べて、コイルの中心から最も内側のパターン部までの距離が近いため、図３ｂに示された等間隔コイルに比べて、本発明の一実施例による非等間隔コイルにおいて、より大きい磁場を形成することができる。
【００４５】
また、等間隔コイルは、中心における磁場が強いが、線が外郭に密集しているため、コイルの中心から外れるほど磁場の強さが急激に落ちるようになる。これに対し、コイルの中心と外郭との間にもパターンが形成される本発明の一実施例による非等間隔コイルは、等間隔コイルに比べて、一定面積に相対的に平坦な磁場を形成することができる。これにより、等間隔コイルに比べて、非等間隔コイルの中心部の位置自由度が増大する。即ち、コイルの中心から遠くなっても、電力伝送効率が急激に低くなることを抑制することができる。
【００４６】
但し、非等間隔コイルの外郭では磁界の強さが低下し得る。これを補償するために、非等間隔コイルの中心から外れるようになると、線密度を高くすることができる。即ち、コイルに流れる電流で形成された電界によって電力を伝送することで、磁界により電力伝送効率が低くなることを補償することができる。
【００４７】
図５は本発明の一実施例による非接触方式の電力伝送コイルの電流密度を示すグラフである。
【００４８】
図５に示されているように、電流密度が上昇するようになって、高い線密度を有する非接触方式の電力伝送コイルのコイル部分の上に受電装置Ａの受電コイルａが位置する場合、高い電流密度によって電界が強く形成されて高い効率で電力が伝送される。
【００４９】
図５においては、青色はコイルを示し、赤色、黄色及び緑色は電流密度を示す。赤色−黄色−緑色の順に、電流密度は低くなる。コイルの外郭に行くほど電流密度が高くなって、コイルの外郭において強い電界が形成される。上記電流密度は変位電流密度であることができる。
【００５０】
図２ｆ及び図２ｇに示されているように、コイルのパターン部の線幅ｔおよび／またはパターン部間の間隔は、非等間隔で形成することができる。
【００５１】
例えば、電力伝送効率を高めるために、コイルの中心から外郭に行くほどコイルの線幅を増加させたり減少させたりして、コイルの外郭における電流密度を増加させることができる。
【００５２】
また、図２ｇに示されているように、コイルの横の長さと縦の長さの比率によってコイルの線幅を部分的に変化させること、および／または、コイルのパターン部間の間隔を同一のターン内で互いに異なるように変化させることができる。
【００５３】
図６ａ及び図６ｂは本発明の一実施例による非接触方式の電力伝送コイルの磁界の強さを示す図面である。
【００５４】
図６ａに示されているように、受電装置の受電コイルａが非接触方式の電力伝送コイル１１０の中心に位置する場合、非接触方式の電力伝送コイル１１０から受電コイルａへの方向に形成される磁界の強さが高いのに対し、図６ｂに示されているように、受電装置の受電コイルａが非接触方式の電力伝送コイル１１０の外郭に位置する場合、非接触方式の電力伝送コイル１１０から受電コイルａへの方向に形成される磁界の強さが低くなることが確認できる。
【００５５】
図７ａ及び図７ｂは本発明の一実施例による非接触方式の電力伝送コイルの電界の強さを示す図面である。
【００５６】
図７ａに示されているように、受電装置の受電コイルａが非接触方式の電力伝送コイル１１０の中心に位置する場合、非接触方式の電力伝送コイル１１０から受電コイルａへの方向に形成される電界の強さが低いのに対し、図７ｂに示されているように、受電装置の受電コイルａが非接触方式の電力伝送コイル１１０の外郭に位置する場合、非接触方式の電力伝送コイル１１０から受電コイルａへの方向に形成される電界の強さが高くなることが確認できる。
【００５７】
図８は本発明の一実施例による非接触方式の電力伝送コイルの各位置別の電力伝送効率を示す図面である。
【００５８】
本発明の一実施例による非接触方式の電力伝送コイルは、中心部において磁界による電力伝送効率が高く、外郭において電界による電力伝送効率が高い。これにより、図８に示されているように、送電コイル全体に電力伝送効率が均一になって、どの位置に受電装置Ａが位置しても電力の伝送を一定に受けることができるため、高い位置自由度を有する。
【００５９】
図８における点線の交点は受電コイルの中心を示す。送電コイルの送電領域全体に配置された交点において受電コイルの中心が送電コイルのどの位置にあっても、８４％〜９０％程度の均一な無線電力伝送効率を有することができる。
【００６０】
上述の通り、本発明のいくつかの実施例によると、送電コイルのパターン部の間隔を非等間隔で形成することにより、受電コイルの中心が送電コイルのどの位置にあっても、均一な無線電力伝送効率を得ることができる。
【００６１】
上述の通り、本発明の実施例によると、電力伝送効率は、非接触方式の電力供給装置の送電面全体にわたって均一となることができる。
【００６２】
以上、本発明の実施例について詳細に説明したが、本発明の権利範囲はこれに限定されず、特許請求の範囲に記載された本発明の技術的思想から外れない範囲内で多様な修正及び変形が可能であるということは、当技術分野の通常の知識を有するものには明らかである。
【符号の説明】
【００６３】
１００  非接触方式の電力供給装置
１１０  コイル
１１１  ベース
１１２  導電体パターン
１２０  電力部
【図１】
2015095656.tif 000003
【図２ａ】
2015095656.tif 000004
【図２ｂ】
2015095656.tif 000005
【図２ｃ】
2015095656.tif 000006
【図２ｄ】
2015095656.tif 000007
【図２ｅ】
2015095656.tif 000008
【図２ｆ】
2015095656.tif 000009
【図２ｇ】
2015095656.tif 000010
【図３ａ】
2015095656.tif 000011
【図３ｂ】
2015095656.tif 000012
【図３ｃ】
2015095656.tif 000013
【図４】
2015095656.tif 000014
【図５】
2015095656.tif 000015
【図６ａ】
2015095656.tif 000016
【図６ｂ】
2015095656.tif 000017
【図７ａ】
2015095656.tif 000018
【図７ｂ】
2015095656.tif 000019
【図８】
2015095656.tif 000020